(57)【要約】（Ａ）成分：アニオン界面活性剤と、（Ｂ）成分：カチオン界面活性剤と、（Ｃ）成分：アルキレンテレフタレート単位及びアルキレンイソフタレート単位からなる群より選択される少なくとも一種の繰り返し単位（ｃ１）並びにオキシアルキレン単位（ｃ２）を有し、重量平均分子量が１０００〜１００００であるポリマーと、を含有し、（Ａ）成分／（Ｂ）成分で表される質量比が１〜２５であることを特徴とする、繊維製品用の洗浄剤。【特許請求の範囲】
【請求項１】
（Ａ）成分：アニオン界面活性剤と、
（Ｂ）成分：カチオン界面活性剤と、
（Ｃ）成分：アルキレンテレフタレート単位及びアルキレンイソフタレート単位からなる群より選択される少なくとも一種の繰り返し単位（ｃ１）並びにオキシアルキレン単位（ｃ２）を有し、重量平均分子量が１０００〜１００００であるポリマーと、を含有し、
（Ａ）成分／（Ｂ）成分で表される質量比が１〜２５であることを特徴とする、繊維製品用の洗浄剤。
【請求項２】
さらに（Ｄ）成分：ノニオン界面活性剤を含有することを特徴とする、請求項１に記載の繊維製品用の洗浄剤。
【請求項３】
（Ａ）成分／（Ｃ）成分で表される質量比が１〜３０である、請求項１又は２に記載の繊維製品用の洗浄剤。
【請求項４】
前記（Ａ）成分が、直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種のアニオン界面活性剤である、請求項１〜３のいずれか一項に記載の繊維製品用の洗浄剤。
【請求項５】
前記（Ｂ）成分が、下記一般式（２５）で表されるカチオン界面活性剤である、請求項１〜４のいずれか一項に記載の繊維製品用の洗浄剤。
【化１】
2016158724.tif 000015
式（２５）中、Ｒ２０〜Ｒ２３は、それぞれ独立に２つ又は３つが炭素数１〜４のアルキル基、炭素数１〜４のヒドロキシアルキル基又は−（ＣＨ２ＣＨ２Ｏ）ｍ−Ｈ［ｍは、オキシエチレン基の平均繰り返し数であり、１〜２５の数］であり、それ以外が炭素数６〜２８の直鎖又は分岐鎖の炭化水素基であり、Ｚａ−は対イオンであり、ａは対イオンの価数を表す。
【請求項６】
前記（Ｃ）成分が、下記一般式（Ｃ１）又は下記一般式（Ｃ２）で表される高分子化合物を含む、請求項１〜５のいずれか一項に記載の繊維製品用の洗浄剤。
【化２】
2016158724.tif 000016
式（Ｃ１）、（Ｃ２）中、Ｒ３０及びＲ４０は、それぞれ独立して、水素原子又はメチル基であり、Ｒ３４及びＲ３７は、それぞれメチル基又は水素原子であり、Ｒ３５、Ｒ３６、Ｒ３８及びＲ３９は、それぞれ独立して、炭素数２〜４のアルキレン基であり、ｓ１及びｓ２は、それぞれ０〜１０であり、ｔ１、ｔ２、ｕ１及びｕ２は、それぞれ独立して１〜１００である。
【請求項７】
前記（Ａ）成分の含有量が、洗浄剤の総質量に対し、１〜４０質量％である、請求項１〜６のいずれか一項に記載の繊維製品用の洗浄剤。
【請求項８】
前記（Ｂ）成分の含有量が、洗浄剤の総質量に対し、０．０１〜１５質量％である、請求項１〜７のいずれか一項に記載の繊維製品用の洗浄剤。
【請求項９】
前記（Ｃ）成分の含有量が、洗浄剤の総質量に対し、０．１〜５質量％である、請求項１〜８のいずれか一項に記載の繊維製品用の洗浄剤。
【発明の詳細な説明】
【技術分野】
【０００１】
本発明は、繊維製品用の洗浄剤に関する。
本願は、２０１５年３月３０日に、日本に出願された特願２０１５−０７０３１４号に基づき優先権を主張し、その内容をここに援用する。
【背景技術】
【０００２】
口紅やファンデーションに代表されるワックスやシリコーン等の高分子化合物を含有する油性の化粧品は、繊維製品に付着した際に非常に落とし難い汚れになることが知られている。特に近年の化粧品は、肌から落ち難い処方とされており一度繊維等に付着するとますます落とし難い汚れになる。
かかる化粧品に由来する油性の汚れ（化粧品汚れ）に対し、自動洗濯機を用い、洗浄、濯ぎ、脱水を行う通常の洗濯を行っても充分に汚れを除去できないことがある。そのため、通常の洗濯を行うことに加えて、化粧品汚れが付着した部分に対して、手洗い洗濯をしたり、通常の洗濯に用いる洗浄剤とは別のしみ取り剤（漂白剤）を塗布する等の前処理をすることが必要である。しかしながら、このような手洗い洗濯や前処理を煩わしいと感じる生活者は少なくなく、通常の洗濯で化粧品汚れを充分に洗浄できる洗浄剤が求められている。
特許文献１には、ノニオン界面活性剤と、キサンタンガムと、特定のポリエステル樹脂を含有する液体洗浄剤組成物が開示されている。特許文献２には、分枝親水性封鎖基およびオリゴマーまたは重合体主鎖を有する特定のエステル化合物を含有する洗剤組成物が開示されている。
【先行技術文献】
【特許文献】
【０００３】
【特許文献１】特開平１０−２９８５９６号公報
【特許文献２】特開昭６３−２９５４号公報
【発明の概要】
【発明が解決しようとする課題】
【０００４】
本発明は上記事情に鑑みてなされたものであり、油性汚れに対する洗浄効果により優れる繊維製品用の洗浄剤を目的とする。
【課題を解決するための手段】
【０００５】
本発明者らは、鋭意検討した結果、以下の繊維製品用の洗浄剤が、上記課題を解決できることを見出した。
本発明は、以下の態様を有する。
［１］（Ａ）成分：アニオン界面活性剤と、
（Ｂ）成分：カチオン界面活性剤と、
（Ｃ）成分：アルキレンテレフタレート単位及びアルキレンイソフタレート単位からなる群より選択される少なくとも一種の繰り返し単位（ｃ１）並びにオキシアルキレン単位（ｃ２）を有し、重量平均分子量が１０００〜１００００であるポリマーと、を含有し、
（Ａ）成分／（Ｂ）成分で表される質量比が１〜２５であることを特徴とする、繊維製品用の洗浄剤。
［２］さらに（Ｄ）成分：ノニオン界面活性剤を含有することを特徴とする、［１］に記載の繊維製品用の洗浄剤。
［３］（Ａ）成分／（Ｃ）成分で表される質量比が１〜３０である、請求項１又は２に記載の繊維製品用の洗浄剤。
［４］前記（Ａ）成分が、直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種のアニオン界面活性剤である、［１］〜［３］のいずれか一項に記載の繊維製品用の洗浄剤。
［５］前記（Ｂ）成分が、下記一般式（２５）で表されるカチオン界面活性剤である、［１］〜［４］のいずれか一項に記載の繊維製品用の洗浄剤。
【化１】
2016158724.tif 000002
式（２５）中、Ｒ２０〜Ｒ２３は、それぞれ独立に２つ又は３つが炭素数１〜４のアルキル基、炭素数１〜４のヒドロキシアルキル基又は−（ＣＨ２ＣＨ２Ｏ）ｍ−Ｈ［ｍは、オキシエチレン基の平均繰り返し数であり、１〜２５の数］であり、それ以外が炭素数６〜２８の直鎖又は分岐鎖の炭化水素基であり、Ｚａ−は対イオンであり、ａは対イオンの価数を表す。
［６］前記（Ｃ）成分が、下記一般式（Ｃ１）又は下記一般式（Ｃ２）で表される高分子化合物を含む、［１］〜［５］のいずれか一項に記載の繊維製品用の洗浄剤。
【化２】
2016158724.tif 000003
式（Ｃ１）、（Ｃ２）中、Ｒ３０及びＲ４０は、それぞれ独立して、水素原子又はメチル基であり、Ｒ３４及びＲ３７は、それぞれメチル基又は水素原子であり、Ｒ３５、Ｒ３６、Ｒ３８及びＲ３９は、それぞれ独立して、炭素数２〜４のアルキレン基であり、ｓ１及びｓ２は、それぞれ０〜１０であり、ｔ１、ｔ２、ｕ１及びｕ２は、それぞれ独立して１〜１００である。
［７］前記（Ａ）成分の含有量が、洗浄剤の総質量に対し、１〜４０質量％である、［１］〜［６］のいずれか一項に記載の繊維製品用の洗浄剤。
［８］前記（Ｂ）成分の含有量が、洗浄剤の総質量に対し、０．０１〜１５質量％である、［１］〜［７］のいずれか一項に記載の繊維製品用の洗浄剤。
［９］前記（Ｃ）成分の含有量が、洗浄剤の総質量に対し、０．１〜５質量％である、［１］〜［８］のいずれか一項に記載の繊維製品用の洗浄剤。
【発明の効果】
【０００６】
本発明の繊維製品用の洗浄剤は、油性汚れに対する洗浄効果により優れる。
【発明を実施するための形態】
【０００７】
（繊維製品用の洗浄剤）
本発明の繊維製品用の洗浄剤（以下、単に「洗浄剤」ともいう。）は、（Ａ）〜（Ｃ）成分を含有する組成物である。
【０００８】
＜（Ａ）成分＞  
（Ａ）成分は、アニオン界面活性剤である。本発明の洗浄剤は、後述の（Ｂ）成分及び（Ｃ）成分とともに（Ａ）成分を含有することで、油性汚れに対する洗浄力が高められる。
（Ａ）成分としては、繊維製品用等の洗浄剤に用いられている公知のアニオン界面活性剤が挙げられる。
（Ａ）成分としては、例えば、直鎖アルキルベンゼンスルホン酸又はその塩；α−オレフィンスルホン酸塩；直鎖または分岐鎖のアルキル硫酸エステル塩；アルキルエーテル硫酸エステル塩またはアルケニルエーテル硫酸エステル塩；アルカンスルホン酸塩；α−スルホ脂肪酸エステル塩；脂肪酸、アルキルエーテルカルボン酸、ポリオキシアルキレンエーテルカルボン酸、アルキル（又はアルケニル）アミドエーテルカルボン酸、アシルアミノカルボン酸又はこれらの塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【０００９】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩またはアルケニルエーテル硫酸エステル塩としては、ポリオキシアルキレンアルキルエーテル硫酸エステル塩又はポリオキシアルキレンアルケニルエーテル硫酸エステル塩が好ましく、炭素数１０〜２０の直鎖または分岐鎖のアルキル基もしくはアルケニル基を有し、平均１〜５モルのアルキレンオキシド（例えば、エチレンオキシド及びプロピレンオキシドからなる群から選択される少なくとも１種のアルキレンオキシド）を付加したポリオキシアルキレンアルキルエーテル硫酸エステル塩又はポリオキシアルキレンアルケニルエーテル硫酸エステル塩がより好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、脂肪酸残基の炭素数が１０〜２０であるα−スルホ脂肪酸エステル塩が好ましい。
脂肪酸又はその塩としては、炭素数１０〜２０の脂肪酸又はその塩が好ましい。
【００１０】
（Ａ）成分は、１種が単独で用いられてもよいし、２種以上が組み合わされて用いられてもよい。
これらのなかでも、より油性汚れに対する洗浄効果が高められる点から、直鎖アルキルベンゼンスルホン酸又はその塩、α−オレフィンスルホン酸塩、アルキル硫酸エステル塩、アルキルエーテル硫酸エステル塩、アルケニルエーテル硫酸エステル塩、アルカンスルホン酸塩、及びα−スルホ脂肪酸エステル塩から選ばれる１種以上のアニオン界面活性剤が好ましく、直鎖アルキルベンゼンスルホン酸又はその塩、及びポリオキシアルキレンアルキルエーテル硫酸エステル塩から選ばれる１種以上のアニオン界面活性剤がより好ましい。
（Ａ）成分は、１種が単独で用いられてもよいし、２種以上が組み合わされて用いられてもよい。
【００１１】
また、洗浄剤中の（Ａ）成分の含有量は、洗浄剤の総質量に対して１〜４０質量％が好ましい。前記範囲のなかでも、２〜３０質量％が好ましく、３〜２５質量％がより好ましく、５〜２５質量％がさらに好ましく、７〜２５質量％が特に好ましく、１０〜２０質量％が最も好ましい。（Ａ）成分の含有量が前記の好ましい範囲であると、再付着防止効果が高められやすくなる。さらに酵素等の変性が抑制され配合安定性に優れる洗浄剤が得られやすくなる。
【００１２】
油性汚れに対する洗浄効果がより高められる点から、上記直鎖アルキルベンゼンスルホン酸又はその塩、α−オレフィンスルホン酸塩、アルキル硫酸エステル塩、アルキルエーテル硫酸エステル塩、アルケニルエーテル硫酸エステル塩、アルカンスルホン酸塩、及びα−スルホ脂肪酸エステル塩から選ばれる１種以上のアニオン界面活性剤の含有量は、（Ａ）成分の総質量に対し、７０質量％以上とされるのが好ましく、７５質量％以上とされるのがより好ましく、８０質量％以上とされるのがさらに好ましく、１００質量％であってもよい。
また、油性汚れに対する洗浄効果がより高められる点から、脂肪酸又はその塩の含有量は、（Ａ）成分の総質量に対し、０〜３０質量％とされるのが好ましく、０〜２０質量％とされるのがより好ましい。
【００１３】
（Ａ）成分としては、直鎖アルキルベンゼンスルホン酸及びその塩からなる群から選択される少なくとも１種のアニオン界面活性剤（以下、（ａ１）成分ともいう。）と、ポリオキシアルキレンアルキルエーテル硫酸エステル塩及びポリオキシアルキレンアルケニルエーテル硫酸エステル塩からなる群から選択される少なくとも１種のアニオン界面活性剤（以下、（ａ２）成分ともいう。）とが併用されることが好ましい。この場合、前記（ａ２）成分に対する（ａ１）成分の含有質量比（（ａ１）成分／（ａ２）成分で表される質量比）は、０．０５〜５が好ましく、０．１〜１がより好ましく、０．２〜０．５がさらに好ましい。
【００１４】
＜（Ｂ）成分＞
（Ｂ）成分は、カチオン界面活性剤である。本発明の洗浄剤は、上記（Ａ）成分と後述の（Ｃ）成分とともに（Ｂ）成分を含有することで、油性汚れに対する洗浄力が高められる。
（Ｂ）成分としては、４級アンモニウム塩型の界面活性剤（以下、（ｂ１）成分ということがある）等が挙げられる。
【００１５】
（ｂ１）成分としては、例えば、下記一般式（２５）で表される化合物、又は下記一般式（２６）で表される化合物が挙げられる。
【００１６】
【化３】
2016158724.tif 000004
【００１７】
（２５）式中、Ｒ２０〜Ｒ２３は、それぞれ独立に２つ又は３つが炭素数１〜４のアルキル基、炭素数１〜４のヒドロキシアルキル基又は−（ＣＨ２ＣＨ２Ｏ）ｍ−Ｈ［ｍは、オキシエチレン基の平均繰り返し数（即ち、エチレンオキシドの平均付加モル数）であり、１〜２５の数］であり、それ以外が炭素数６〜２８の直鎖又は分岐鎖の炭化水素基である。Ｚａ−は対イオンである。ａは対イオンの価数を表す。
【００１８】
上記炭化水素基は、飽和でも、不飽和でもよく、また、置換基及び連結基からなる群から選択される少なくとも１種の基を有していてもよい。前記置換基としては、ヒドロキシ基、アミノ基が好ましく、前記連結基としては、アミド基、エステル基又はエーテル基が好ましい。上記炭化水素基の炭素数は、７〜２７が好ましく、７〜２５がより好ましい。なお、上記炭化水素基の炭素数には、置換基及び連結基の炭素数は含まれない。
【００１９】
Ｚａ−としては、フッ素イオン、塩素イオン、臭素イオン、ヨウ素イオン等のハロゲンイオン、炭素数１〜３のアルキル基を有するアルキル硫酸イオン等が挙げられる。
【００２０】
（２５）式で表される化合物としては、Ｒ２０が炭素数８〜２２の直鎖もしくは分岐鎖のアルキル基又は炭素数８〜２２の直鎖もしくは分岐鎖のアルケニル基であり、Ｒ２１〜Ｒ２３が、それぞれ独立に炭素数１〜４のアルキル基又は炭素数１〜４のヒドロキシアルキル基である化合物（以下、（ｂ２５−１）成分という）；Ｒ２０及びＲ２１が、それぞれ独立に炭素数８〜２２の直鎖もしくは分岐鎖のアルキル基又は炭素数８〜２２の直鎖もしくは分岐鎖のアルケニル基であり、Ｒ２２及びＲ２３が、それぞれ独立に炭素数１〜４のアルキル基又は炭素数１〜４のヒドロキシアルキル基である化合物（以下、（ｂ２５−２）成分という）が好ましい。
【００２１】
（ｂ２５−１）成分としては、Ｒ２０が、炭素数８〜２２のアルキル基又はアルケニル基が好ましく、炭素数１０〜１８のアルキル基又はアルケニル基がより好ましく、炭素数１０〜１４のアルキル基又はアルケニル基がさらに好ましい。また、Ｒ２１〜Ｒ２３が、それぞれ独立に炭素数１〜３のアルキル基が好ましく、いずれか１つがメチル基がより好ましく、いずれもメチル基がさらに好ましい。
【００２２】
（ｂ２５−２）成分としては、Ｒ２０及びＲ２１が、それぞれ独立に炭素数８〜１２のアルキル基又はアルケニル基が好ましく、炭素数８〜１０のアルキル基又はアルケニル基がより好ましい。また、Ｒ２２及びＲ２３が、それぞれ独立に炭素数１〜３のアルキル基が好ましく、いずれか１つがメチル基がより好ましく、いずれもメチル基がさらに好ましい。
【００２３】
（２５）式で表される化合物として、下記一般式（２５−ａ）で表される化合物を用いることもできる。
【００２４】
【化４】
2016158724.tif 000005
【００２５】
（２５−ａ）式中、Ｒ２４及びＲ２５は、それぞれ独立に炭素数８〜２２の直鎖もしくは分岐鎖のアルキル基又は炭素数８〜２２の直鎖もしくは分岐鎖のアルケニル基である。
ＥＯは、オキシエチレン基を表し、ｘ及びｙはオキシエチレン基の平均繰り返し数を表す０超の数である。ｘ＋ｙ＝１０以上であり、１０〜５０が好ましい。Ｚｂ−は対イオンであり、（２５）式中のＺａ−と同じ意味を有する。
【００２６】
（２５−ａ）式中、Ｒ２４及びＲ２５のいずれか一方が炭素数１０〜１８の直鎖もしくは分岐鎖のアルキル基又は炭素数１０〜１８の直鎖もしくは分岐鎖のアルケニル基であり、他方がメチル基又はトリル基であることが好ましい。
【００２７】
【化５】
2016158724.tif 000006
【００２８】
（２６）式中、Ｒ２６は炭素数８〜２２の直鎖もしくは分岐鎖のアルキル基又は炭素数８〜２２の直鎖もしくは分岐鎖のアルケニル基であり、Ｒ２７及びＲ２８は、それぞれ独立に炭素数１〜３のアルキル基又は炭素数１〜３のヒドロキシアルキル基であり、Ｒ２９は、炭素数１〜４のアルキレン基である。Ｚｃ−は対イオンであり、（２５）式中のＺａ−と同じ意味を有する。
【００２９】
（２６）式中、Ｒ２６の炭素数は、１０〜１８が好ましく、１２〜１４がより好ましい。Ｒ２７及びＲ２８は、それぞれ独立に炭素数１〜３のアルキル基が好ましく、いずれか一方がメチル基がより好ましく、いずれもメチル基がさらに好ましい。Ｒ２９は、メチレン基が好ましい。
【００３０】
（ｂ１）成分としては、例えば、塩化アルキル（炭素数１０〜１８）トリメチルアンモニウム、塩化ジデシルジメチルアンモニウム、塩化ベンザルコニウム等が挙げられる。
【００３１】
（Ｂ）成分は、いずれか１種が単独で用いられてもよいし、２種以上が組み合わされて用いられてもよい。
（Ｂ）成分としては、一般式（２５）で表される化合物が好ましい。一般式（２５）で表される化合物のなかでも（ｂ２５−１）成分が好ましい。（ｂ２５−１）成分のなかでも、一般式（２５）におけるＲ２０が炭素数１０〜１８のアルキル基又はアルケニル基であり、Ｒ２１〜Ｒ２３がいずれもメチル基である化合物が好ましく、Ｒ２０が炭素数１０〜１４のアルキル基又はアルケニル基であり、Ｒ２１〜Ｒ２３がいずれもメチル基である化合物がより好ましい。
上記化合物が、上記（Ａ）成分及び後述の（Ｃ）成分とともに用いられると、油性汚れに対する洗浄効果がより高められやすくなる。
【００３２】
洗浄剤中の（Ｂ）成分の含有量は、洗浄剤の総質量に対して、０．０１〜１５質量％が好ましく、０．１〜１０質量％がより好ましい。（Ｂ）成分の含有量が、前記の好ましい範囲であると、（Ａ）成分と（Ｂ）成分との質量比を本願特定の範囲に調整しやすく、油性汚れに対する洗浄効果が高められやすくなる。
【００３３】
＜（Ｃ）成分＞
（Ｃ）成分は、アルキレンテレフタレート単位及びアルキレンイソフタレート単位からなる群より選択される少なくとも一種の繰り返し単位（ｃ１）並びにオキシアルキレン単位（ｃ２）を有するポリマーである。
本発明の洗浄剤は、上記（Ａ）成分及び（Ｂ）成分とともに（Ｃ）成分を含有することで油性汚れに対する洗浄効果が高められる。
なお、本明細書において「繰り返し単位」とは、重合体を構成するモノマー単位をいう。
【００３４】
・特定の繰り返し単位（ｃ１）について
特定の繰り返し単位（ｃ１）のうち、アルキレンテレフタレート単位（以下、この繰り返し単位を「繰り返し単位（ｃ１１）」ともいう）としては、下記一般式（ｃ１−１）で表される繰り返し単位が挙げられる。
【００３５】
【化６】
2016158724.tif 000007
【００３６】
前記式（ｃ１−１）中、Ｒ３１は、低級アルキレン基である。Ｒ３１における低級アルキレン基の炭素数は、１〜５が好ましく、より好ましくは１〜４であり、さらに好ましくは２〜４である。
繰り返し単位（ｃ１１）として具体的には、エチレンテレフタレート単位、ｎ−プロピレンテレフタレート単位、イソプロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位等が挙げられる。中でも、イソプロピレンテレフタレート単位が好ましい。
繰り返し単位（ｃ１１）は、１種が単独で用いられてもよく、２種以上が組み合わされて用いられてもよい。
【００３７】
特定の繰り返し単位（ｃ１）のうち、アルキレンイソフタレート単位（以下、この繰り返し単位を「繰り返し単位（ｃ１２）」ともいう）としては、下記一般式（ｃ１−２）で表される繰り返し単位が挙げられる。
【００３８】
【化７】
2016158724.tif 000008
【００３９】
前記式（ｃ１−２）中、Ｒ３２は、低級アルキレン基である。Ｒ３２における低級アルキレン基の炭素数は、１〜５が好ましく、より好ましくは１〜４であり、さらに好ましくは２〜４である。
繰り返し単位（ｃ１２）として具体的には、エチレンイソフタレート単位、ｎ−プロピレンイソフタレート単位、イソプロピレンイソフタレート単位、ｎ−ブチレンイソフタレート単位、ｓｅｃ−ブチレンイソフタレート単位、ｔｅｒｔ−ブチレンイソフタレート単位等が挙げられる。中でも、イソプロピレンイソフタレート単位が好ましい。
繰り返し単位（ｃ１２）は、１種が単独で用いられてもよく、２種以上が組み合わされて用いられてもよい。
【００４０】
（Ｃ）成分は、繰り返し単位（ｃ１）を１種のみ有してもよいし、２種以上有してもよい。すなわち、（Ｃ）成分は、その１分子中に、繰り返し単位（ｃ１）として、繰り返し単位（ｃ１１）のみを有していてもよく、繰り返し単位（ｃ１２）のみを有していてもよく、繰り返し単位（ｃ１１）と繰り返し単位（ｃ１２）との両方を有していてもよい。また、繰り返し単位（ｃ１１）を２種以上有していてもよく、繰り返し単位（ｃ１２）を２種以上有していてもよい。
繰り返し単位（ｃ１）は、１分子中に、１単位で導入されてもよいし、２単位以上（即ちブロック状）で導入されてもよい。
【００４１】
（Ｃ）成分における１分子が有する繰り返し単位（ｃ１）の繰り返し数は、１〜１０が好ましく、より好ましくは１〜６であり、さらに好ましくは１〜４である。
繰り返し単位（ｃ１）の数が、前記の好ましい範囲であると、油性汚れに対する洗浄効果が高められやすくなる。
【００４２】
・オキシアルキレン単位（ｃ２）について
オキシアルキレン単位（以下、この繰り返し単位を「繰り返し単位（ｃ２）」ともいう）としては、下記一般式（ｃ２−１）で表される繰り返し単位が挙げられる。
【００４３】
【化８】
2016158724.tif 000009
【００４４】
前記式（ｃ２−１）中、Ｒ３３は、低級アルキレン基である。Ｒ３３における低級アルキレン基の炭素数は、１〜４が好ましく、より好ましくは２〜４であり、さらに好ましくは２又は３である。
繰り返し単位（ｃ２）としては、オキシエチレン単位、オキシプロピレン単位、オキシブチレン単位等が挙げられる。なかでも、オキシエチレン単位、オキシプロピレン単位が好ましい。
【００４５】
（Ｃ）成分は、繰り返し単位（ｃ２）を、１種のみ有してもよいし、２種以上有してもよい。すなわち、（Ｃ）成分は、その１分子中に、繰り返し単位（ｃ２）として、例えば、オキシエチレン単位のみを有していてもよく、オキシプロピレン単位のみを有していてもよく、オキシエチレン単位とオキシプロピレン単位との両方を有していてもよい。
また、（Ｃ）成分は、その１分子中に、繰り返し単位（ｃ２）として、オキシアルキレン基（繰り返し単位（ｃ２）の繰り返し数が１のもの）を有していてもよく、ポリオキシアルキレン基（繰り返し単位（ｃ２）の繰り返し数が２以上のもの）を有していてもよく、オキシアルキレン基とポリオキシアルキレン基との両方を有していてもよい。
【００４６】
（Ｃ）成分における１分子が有する繰り返し単位（ｃ２）の繰り返し数は、１以上であり、好ましくは１〜１００であり、より好ましくは１〜８０であり、さらに好ましくは１〜５０である。
繰り返し単位（ｃ２）の繰り返し数が、前記の好ましい範囲であると、油性汚れに対する洗浄効果が高められやすくなる。
【００４７】
（Ｃ）成分は、繰り返し単位（ｃ１）と繰り返し単位（ｃ２）とがブロック状に重合しているポリマーでもよく、ランダム状に重合しているポリマーでもよい。これらの中でも（Ｃ）成分としてはブロック状に重合しているポリマーが好ましい。
【００４８】
（Ｃ）成分は、繰り返し単位（ｃ１）及び繰り返し単位（ｃ２）に加えて、その他の繰り返し単位を有していてもよい。その他の繰り返し単位としては、重合開始剤や重合停止剤等に由来する繰り返し単位、繰り返し単位（ｃ１）又は繰り返し単位（ｃ２）を提供するモノマーと共重合可能なモノマーに由来する繰り返し単位等が挙げられる。
（Ｃ）成分中にその他の繰り返し単位を有する場合、繰り返し単位（ｃ１）と繰り返し単位（ｃ２）との合計は、（Ｃ）成分を構成する全部の繰り返し単位の合計モル数に対して、８０モル％以上であることが好ましく、９０モル％以上であることがより好ましく、１００モル％であってもよい。繰り返し単位（ｃ１）と繰り返し単位（ｃ２）との合計モル数が、前記の好ましい下限値以上であると、油性汚れに対する洗浄効果が高められやすくなる。
【００４９】
（Ｃ）成分は、それ自体の溶解性と液体洗浄剤とした場合の液安定性の点から、水溶性ポリマーであることが好ましい。
ここでいう「水溶性ポリマー」とは、１リットルビーカー内で、ポリマー１０ｇを、４０℃の条件で、水１０００ｇに添加し、スターラー（太さ８ｍｍ、長さ５０ｍｍ）により１２時間撹拌（２００ｒｐｍ）した後に溶解しているものをいう。
【００５０】
（Ｃ）成分の重量平均分子量は、１０００〜１００００であり、１０００〜８０００が好ましく、１０００〜７０００がより好ましく、１５００〜７０００が特に好ましい。（Ｃ）成分の重量平均分子量が前記の好ましい範囲であると、油性汚れに対する洗浄効果が高められやすくなる。
なお、本発明における重量平均分子量は、溶媒としてＴＨＦ（テトラヒドロフラン）を用いてＧＰＣ（ゲルパーミネーションクロマトグラフィー）により測定した値を、ＰＥＧ（ポリエチレングリコール）における較正曲線に基づいて換算した値を示す。
【００５１】
（Ｃ）成分は、各種の文献、教科書及び特許文献等に開示されている合成方法、例えば、Ｊｏｕｒｎａｌ  ｏｆ  Ｐｏｌｙｍｅｒ  Ｓｃｉｅｎｃｅ，第３巻，６０９〜６３０ページ（１９４８年）；Ｊｏｕｒｎａｌ  ｏｆ  Ｐｏｌｙｍｅｒ  Ｓｃｉｅｎｃｅ，第８巻，１〜２２ページ（１９５１年）；特開昭６１−２１８６９９号公報に記載の方法等により製造することができる。
【００５２】
（Ｃ）成分の好適な具体例としては、下記の一般式（Ｃ１）で表される高分子化合物、一般式（Ｃ２）で表される高分子化合物、又はこれらの混合物を含むものが挙げられる。
【００５３】
【化９】
2016158724.tif 000010
【００５４】
前記式（Ｃ１）、（Ｃ２）中、Ｒ３０及びＲ４０は、それぞれ独立して、水素原子又はメチル基であり、それぞれメチル基であることが好ましく、いずれもメチル基であることがより好ましい。
Ｒ３４及びＲ３７は、それぞれメチル基又は水素原子であり、それぞれメチル基であることが好ましい。
Ｒ３５、Ｒ３６、Ｒ３８及びＲ３９は、それぞれ独立して、炭素数２〜４のアルキレン基である。
ｓ１及びｓ２は、それぞれ０〜１０であり、好ましくは０．５〜５であり、より好ましくは０．５〜２．５である。ｔ１、ｔ２、ｕ１及びｕ２は、それぞれ独立して１〜１００であり、好ましくは１〜８０であり、より好ましくは１〜５０であり、さらに好ましくは１０〜５０であり、特に好ましくは、２０〜３０である。ｓ１、ｓ２、ｔ１、ｔ２、ｕ１及びｕ２が前記の好ましい範囲であると、（Ｃ）成分の配合効果が充分に発揮されやすくなる。また、水に対する溶解性がより向上し、液体洗浄剤に配合した際に透明感に優れる洗浄剤が得られやすくなる。
【００５５】
（Ｃ１）中、ｓ１と（ｔ１＋ｕ１）の比［ｓ１：（ｔ１＋ｕ１）］は、１：５〜１：２０が好ましく、１：８〜１：１８がより好ましい。ｓ１と（ｔ１＋ｕ１）の比が前記の好ましい範囲であると、油性汚れに対する洗浄効果が高められ、かつ水に対する溶解性が高められる。
（Ｃ２）中のｓ２と（ｔ２＋ｕ２）の比［ｓ２：（ｔ２＋ｕ２）］は、上記［ｓ１：（ｔ１＋ｕ１）］の比と同様の範囲が好ましい。
【００５６】
（Ｃ）成分は、１種が単独で用いられてもよく、２種以上が組み合わされて用いられてもよい。
また、（Ｃ）成分としては、合成品が用いられてもよく、市販品が用いられてもよい。
（Ｃ）成分の市販品としては、商品名ＴｅｘＣａｒｅ  ＳＲＮ−１００（クラリアント社製、重量平均分子量２０００〜３０００）、商品名ＴｅｘＣａｒｅ  ＳＲＮ−３００（クラリアント社製、重量平均分子量７０００）、商品名Ｒｅｐｅｌ−Ｏ−Ｔｅｘ  Ｃｒｙｓｔａｌ（ローディア社製）、商品名Ｒｅｐｅｌ−Ｏ−Ｔｅｘ  ＱＣ（ローディア社製）等が挙げられる。
これらのなかでは、水への溶解性が高く、保存安定性にも優れる点から、ＴｅｘＣａｒｅ  ＳＲＮ−１００が好ましい。また、取り扱い性に優れる点から、前記ＴｅｘＣａｒｅ  ＳＲＮ−１００の７０％水溶液として市販されている商品名ＴｅｘＣａｒｅ  ＳＲＮ−１７０（クラリアント社製）が用いられることが好ましい。
【００５７】
（Ｃ）成分の含有量は、洗浄剤の総質量に対して０．１〜５質量％が好ましく、０．５〜３質量％がより好ましく、０．５〜１質量％がさらに好ましい。
（Ｃ）成分の含有量が、前記の好ましい下限値以上であると、油性汚れに対する洗浄効果が高められやすくなる。前記の好ましい上限値以下であると、配合安定性に優れる洗浄剤が得られやすくなる。
【００５８】
（Ａ）成分／（Ｂ）成分で表される質量比［（Ｂ）成分の含有量に対する（Ａ）成分の含有量の質量比、以下「Ａ／Ｂ比」ともいう。］は、１〜２５であり、１〜２２が好ましく、４〜２２がより好ましく、１０〜２０がさらに好ましい。Ａ／Ｂ比が１未満又はＡ／Ｂ比が２５超であると、油性汚れに対する洗浄効果が充分に得られない。また、Ａ／Ｂ比が１未満であると、油性汚れに対する再付着防止効果が充分に得られ難くなる。
【００５９】
（Ａ）成分／（Ｃ）成分で表される質量比［（Ｃ）成分の含有量に対する（Ａ）成分の含有量の質量比、以下「Ａ／Ｃ比」ともいう。］は、１〜３０が好ましく、１〜２５がより好ましく、２〜２０がさらに好ましく、５〜２０が特に好ましい。Ａ／Ｃ比が１未満又は３０超であると、油性汚れに対する洗浄効果が充分に得られない。また、Ａ／Ｃ比が１未満であると、油性汚れに対する再付着防止効果が充分に得られ難くなる。
【００６０】
（Ｂ）成分／（Ｃ）成分で表される質量比［（Ｃ）成分の含有量に対する（Ｂ）成分の含有量の質量比、以下「Ｂ／Ｃ比」ともいう。］は、０．１〜５が好ましく、０．２〜４がより好ましく、０．５〜３がさらに好ましく、１〜２が特に好ましい。Ｂ／Ｃ比が、前記の好ましい範囲であると、油性汚れに対する洗浄力が高められやすくなる。
【００６１】
（（Ａ）成分＋（Ｂ）成分）／（Ｃ）成分で表される質量比［（Ｃ）成分の含有量に対する、（Ａ）成分及び（Ｂ）成分の合計含有量の質量比、以下「（Ａ＋Ｂ）／Ｃ比」ともいう。］は、１〜３０が好ましく、１〜２５がより好ましく、１〜２０がさらに好ましく、４〜２０が特に好ましい。（Ａ＋Ｂ）／Ｃ比が、前記の好ましい範囲であると、油性汚れに対する洗浄力が高められやすくなる。
【００６２】
＜その他の成分＞
本発明の洗浄剤は、上記（Ａ）〜（Ｃ）成分以外に、洗浄剤に通常用いられるその他の成分を含有してもよい。
その他の成分としては、例えば、（Ａ）成分及び（Ｂ）成分以外の界面活性剤、水混和性有機溶剤、溶媒、金属イオン捕捉剤（キレート剤）、無機塩、酸化防止剤、プロテアーゼ、リパーゼ、セルラーゼ等の酵素、アルカリビルダー、ハイドロトロープ剤、防腐剤、酵素安定化剤、風合い向上剤、保存安定性向上剤、蛍光剤、移染防止剤、再汚染防止剤（但し（Ｃ）成分は含まれない）、パール剤、ソイルリリース剤（但し（Ｃ）成分は含まれない）、着香剤、着色剤、乳濁化剤、天然物等のエキス、ｐＨ調整剤等が挙げられる。
【００６３】
（Ａ）成分及び（Ｂ）成分以外の界面活性剤としては、ノニオン界面活性剤（（Ｄ）成分）、両性界面活性剤等が挙げられる。
＜（Ｄ）成分＞
ノニオン界面活性剤としては、例えば炭素数１０〜２０の高級アルコール、アルキルフェノール、炭素数１０〜２０の高級脂肪酸、炭素数１０〜２０の高級脂肪酸のアルキルエステル又は炭素数１０〜２０の高級アミン等にアルキレンオキシドを付加したポリオキシアルキレン型ノニオン界面活性剤、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、硬化ヒマシ油のアルキレンオキシド付加体、糖脂肪酸エステル、Ｎ−アルキルポリヒドロキシ脂肪酸アミド、アルキルグリコシド等が挙げられる。
【００６４】
前記ノニオン界面活性剤の中でも、下記一般式（ｄ１）で表されるポリオキシアルキレン型ノニオン界面活性剤（以下、「（ｄ１）成分」ということがある）が好ましい。
Ｒ４１−Ｘ２−［（ＥＯ）ｐ／（ＰＯ）ｑ］−Ｒ４２    ・・・（ｄ１）
（式（ｄ１）中、Ｒ４１は、炭素数８〜２２の炭化水素基であり、Ｘ２は、Ｏ又はＣＯＯである。ＥＯは、オキシエチレン基を表し、ＰＯは、オキシプロピレン基を表す。［（ＥＯ）ｐ／（ＰＯ）ｑ］中、ＥＯとＰＯはランダム重合でもよくブロック重合でもよい。Ｘ２がＯの場合、Ｒ４２は水素原子であり、ｐは、３〜２０の数であり、ｑは、０〜６の数である。Ｘ２がＣＯＯの場合、Ｒ４２は炭素数１〜２のアルキル基であり、ｐは、６〜２０の数であり、ｑは、０〜６の数である。）
【００６５】
式（ｄ１）中、Ｒ４１は、炭素数８〜２２の炭化水素基である。Ｒ４１の炭素数は、洗浄力向上の観点から、炭素数１０〜１８が好ましい。Ｒ４１は、アルキル基又はアルケニル基が好ましく、直鎖であっても分岐鎖であってもよい。Ｒ４１としては、１級又は２級の高級アルコール、高級脂肪酸、高級脂肪酸アミド等の原料に由来するアルキル基又はアルケニル基が挙げられる。
【００６６】
Ｘ２は、Ｏ又はＣＯＯである。
Ｘ２がＯの場合、Ｒ４２は水素原子である。即ち、Ｘ２がＯの場合、（ｄ１）成分はアルコールアルコキシレートである。
Ｘ２がＯの場合、洗浄力のさらなる向上を図る観点から、Ｒ４１は、直鎖もしくは分岐鎖のアルキル基又は直鎖もしくは分岐鎖のアルケニル基が好ましい。
Ｘ２がＯの場合、Ｒ４１の炭素数は、１０〜２２が好ましく、１０〜２０がより好ましく、１０〜１８がさらに好ましい。
【００６７】
Ｘ２がＣＯＯの場合、Ｒ４２は炭素数１〜２のアルキル基である。即ち、Ｘ２がＣＯＯの場合、（ｄ１）成分は、脂肪酸アルキルエステルアルコキシレートである。
Ｘ２がＣＯＯの場合、洗浄力のさらなる向上を図る観点から、Ｒ４１は、直鎖もしくは分岐鎖のアルキル基又は直鎖もしくは分岐鎖のアルケニル基が好ましい。
Ｘ２がＣＯＯの場合、Ｒ４１の炭素数は、９〜２１が好ましく、１１〜２１がより好ましい。
【００６８】
式（ｄ１）中、ｐは、ＥＯの平均繰り返し数を表す数である。
Ｘ２がＯの場合、ｐは３〜２０の数であり、５〜１８が好ましく、６〜１８がより好ましく、１１〜１８がさらに好ましく、１４〜１８が特に好ましい。上記下限値未満では、親水性が低くなり、系中の自由水が増加することにより、酵素の安定性が悪化する傾向にあり、上記上限値超では、親水性が高くなりすぎて、洗浄力が低下するおそれがある。
Ｘ２がＣＯＯの場合、ｐは６〜２０の数であり、６〜１８が好ましく、１１〜１８がより好ましい。上記下限値未満では、親水性が低くなり、系中の自由水が増加することにより、酵素の安定性が悪化する傾向にあり、上記上限値超では、親水性が高くなりすぎて、洗浄力が低下するおそれがある。
【００６９】
式（ｄ１）中、ｑは、ＰＯの平均繰り返し数を表す数である。
Ｘ２がＯの場合、ｑは０〜６の数であり、０〜３が好ましい。上記上限値以下であると、液体洗浄剤に配合した場合の液安定性を向上しやすくなる。
Ｘ２がＣＯＯの場合、ｑは０〜６の数であり、０〜３が好ましい。上記上限値以下であると、液体洗浄剤に配合した場合の液安定性を向上しやすくなる。
ｑが１以上である場合、オキシエチレン基とオキシプロピレン基とは、ランダム重合であってもよいし、ブロック重合であってもよい。
【００７０】
式（ｄ１）中のｐ又はｑの分布は、（ｄ１）成分を製造する際の反応方法によって変動する。例えば、一般的なアルカリ触媒である水酸化ナトリウムや水酸化カリウム等を用いて、エチレンオキシドやプロピレンオキシドを原料に付加した場合には、ｐ又はｑの分布は、比較的広くなる。特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いてエチレンオキシドやプロピレンオキシドを原料に付加した場合には、ｐ又はｑの分布は、比較的狭くなる。
【００７１】
これらの（ｄ１）成分は、１種単独で用いられてもよいし、２種以上が組み合わされて用いられてもよい。
【００７２】
本発明の洗浄剤がノニオン界面活性剤を含有する場合、ノニオン界面活性剤の含有量は、洗浄剤の総質量に対して、０質量％超７０質量％以下が好ましく、０．５〜７０質量％がより好ましく、５〜５０質量％がさらに好ましく、２０〜４０質量％が特に好ましい。
上記下限値以上であれば、洗浄剤の洗浄力のさらなる向上が図られやすくなり、上記上限値以下であれば、洗浄剤の配合安定性が高められやすくなる。
また、（Ａ）成分／（Ｄ）成分で表される質量比［（Ｄ）成分の含有量に対する（Ａ）成分の質量比、以下「Ａ／Ｄ比」ともいう。］は、０．１〜５であることが好ましく、０．１５〜１がより好ましい。Ａ／Ｄ比がこの範囲内であると、液の粘度が好適に保たれつつ、油性汚れに対する洗浄効果が充分に発揮できる。
【００７３】
両性界面活性剤としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型、リン酸型等の両性界面活性剤が挙げられる。
【００７４】
本発明の洗浄剤は、界面活性剤の合計含有量が、洗浄剤の総質量に対して１〜８０質量％が好ましく、１０〜７０質量％がより好ましく、２０〜６５質量％がさらに好ましく、３０〜６０質量％が特に好ましく、４０〜５５質量％が最も好ましい。
【００７５】
本発明の洗浄剤が液体洗浄剤である場合、塗布洗浄性能が向上される点、製剤安定性が向上される点、粘度を低下させ使用性が向上される点等から、水混和性有機溶剤を含有することが好ましい。
水混和性有機溶剤としては、エタノール、１−プロパノール、２−プロパノール、１−ブタノール等のアルコール類、プロピレングリコール、ブチレングリコール、ヘキシレングリコール等のグリコール類；ジエチレングリコール、トリエチレングリコール、テトラエチレングリコール、重量平均分子量約２００〜１０００のポリエチレングリコール、ジプロピレングリコール等のポリグリコール類；ジエチレングリコールモノメチルエーテル、ジエチレングリコールモノエチルエーテル、ジエチレングリコールモノブチルエーテル（ブチルカルビトール）、ジエチレングリコールジメチルエーテル等のアルキルエーテル類等が挙げられる。
これらの中でも、臭気の少なさ、入手のしやすさ、液体洗浄剤とした場合の液安定性、流動性等から、エタノール、プロピレングリコール、ポリエチレングリコール、ジエチレングリコールモノブチルエーテル（ブチルカルビトール）が好ましい。
水混和性有機溶剤は、１種が単独で用いられても、２種以上が組み合わされて用いられてもよい。
水混和性有機溶剤の含有量は、洗浄剤の総質量に対して、３〜２０質量％が好ましい。
なお、本発明において、水混和性有機溶剤とは、２５℃のイオン交換水１Ｌに５０ｇ以上溶解する有機溶剤をいう。
【００７６】
本発明の洗浄剤が液体洗浄剤である場合、調製のしやすさ、使用する際の水への溶解性等の観点から、溶媒として水を含有することが好ましい。
液体洗浄剤とした場合の水の含有量は、（Ａ）〜（Ｃ）成分及びその他の任意成分の含有量に応じて適宜に設定できるが、通常、液体洗浄剤の総質量に対して、１０〜９０質量％であり、２０〜８０質量％が好ましい。
【００７７】
金属イオン捕捉剤としては、例えば、マロン酸、コハク酸、リンゴ酸、ジグリコール酸、酒石酸、クエン酸等が挙げられる。
金属イオン捕捉剤は、１種が単独で用いられてもよいし、２種以上が組み合わされて用いられてもよい。
金属イオン捕捉剤の含有量は、洗浄剤の総質量に対して０．１〜２０質量％が好ましい。
【００７８】
酸化防止剤としては、特に限定はされないが、良好な洗浄力と配合安定性が得られやすい点から、フェノール系酸化防止剤を用いることが好ましい。フェノール系酸化防止剤としては、ジブチルヒドロキシトルエン、ブチルヒドロキシアニソール等のモノフェノール系酸化防止剤、２，２’−メチレンビス（４−メチル−６−ｔ−ブチルフェノール）等のビスフェノール系酸化防止剤、ｄｌ−α−トコフェロール等の高分子型フェノール系酸化防止剤が挙げられる。これらのなかでも、モノフェノール系酸化防止剤、高分子型フェノール系酸化防止剤が好ましい。モノフェノール系酸化防止剤としては、ジブチルヒドロキシトルエンが好ましく、高分子型フェノール系酸化防止剤としては、ｄｌ−α−トコフェロールが好ましい。
酸化防止剤は、１種が単独で用いられてもよいし、２種以上が組み合わされて用いられてもよい。
酸化防止剤の含有量は、洗浄剤の総質量に対して、０．０１〜２質量％が好ましい。
【００７９】
酵素としては、プロテアーゼが好ましい。プロテアーゼを配合することにより、タンパク汚れに対する洗浄力をさらに向上させ、また殺菌効果をさらに高めることができる。
プロテアーゼとしては、市販のプロテアーゼ製剤を用いることができ、例えば、Ｓａｖｉｎａｓｅ１６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ（いずれも商品名、ノボザイムズ社製）、Ｐｕｒａｆｅｃｔ  Ｌ、Ｐｕｒａｆｅｃｔ  ＯＸ、Ｐｒｏｐｅｒａｓｅ  Ｌ（いずれも商品名、ジェネンコア社製）等が挙げられる。
酵素は１種が単独で用いられてもよいし、２種以上が組み合わされて用いられてもよい。
本発明の洗浄剤に酵素を含有させる場合、その合計の含有量は、洗浄剤の総質量に対して０．０１〜４質量％が好ましく、０．１〜２質量％がより好ましく、０．４〜１質量％がさらに好ましい。
【００８０】
アルカリビルダーとしては、例えば、モノエタノールアミン、ジエタノールアミン、トリエタノールアミン等のアルカノールアミンが挙げられる。
アルカリビルダーは、１種が単独で用いられてもよいし、２種以上が組み合わされて用いられてもよい。
アルカリビルダーの含有量は、洗浄剤の総質量に対して、０．５〜５質量％が好ましい。
【００８１】
本発明の洗浄剤が液体洗浄剤である場合、ハイドロトロープ剤を含有することが好ましい。ハイドロトロープ剤としては、芳香族スルホン酸又はその塩が挙げられる。芳香族スルホン酸又はその塩としては、トルエンスルホン酸、キシレンスルホン酸、クメンスルホン酸、置換もしくは非置換ナフタレンスルホン酸又はこれらの塩等が挙げられる。
塩としては、ナトリウム塩、カリウム塩、カルシウム塩、マグネシウム塩、アンモニウム塩、またはアルカノールアミン塩等が挙げられる。
ハイドロトロープ剤は、１種が単独で用いられてもよいし、２種以上が組み合わされて用いられてもよい。
ハイドロトロープ剤の含有量は、洗浄剤の総質量に対して、０．０１〜１５質量％が好ましい。
【００８２】
防腐剤としては、例えばローム・アンド・ハース社製の商品名ケーソンＣＧ等が挙げられる。防腐剤の含有量は、洗浄剤の総質量に対して０．００１〜１質量％が好ましい。
また、保存安定性向上を目的として安息香酸又はその塩（防腐剤としての効果もある）を含有してもよい。塩としては、ナトリウム塩、カリウム塩、カルシウム塩、マグネシウム塩、アンモニウム塩、アルカノールアミン塩等が挙げられる。
安息香酸またはその塩の含有量は、洗浄剤の総質量に対して０．１〜５質量％が好ましく、０．１５〜２質量％がより好ましい。
【００８３】
酵素安定化を目的としてホウ酸、ホウ砂、ギ酸、乳酸もしくはその塩；乳酸カルシウム、塩化カルシウム、硫酸カルシウム等のカルシウム塩類を、それぞれ洗浄剤の総質量に対して、好ましくは０〜２質量％含有してもよい。
風合い向上を目的として、ジメチルシリコーン、ポリエーテル変性シリコーン、アミノ変性シリコーン等のシリコーンを、洗浄剤の総質量に対して好ましくは０〜５質量％含有してもよい。
白色衣類の白度向上を目的としてジスチリルビフェニル型等の蛍光増白剤を、洗浄剤の総質量に対して好ましくは０〜１質量％含有してもよい。
移染防止又は再汚染防止を目的としてポリビニルピロリドン、カルボキシメチルセルロース等の（Ｃ）成分以外の再汚染防止剤を、それぞれ洗浄剤の総質量に対して好ましくは０〜２質量％以下含有してもよい。
また、パール剤、（Ｃ）成分以外のソイルリリース剤等を含有してもよい。
【００８４】
商品の付加価値向上等を目的として、着香剤、着色剤、乳濁化剤、天然物エキスなどのエキス類が洗浄剤に配合されてもよい。
着香剤としては、例えば、特開２００２−１４６３９９号公報の表１１〜１８に記載の香料組成物Ａ、Ｂ、Ｃ、Ｄ等が挙げられる。着香剤の配合量は、洗浄剤の総質量に対して０．１〜１質量％が好ましい。
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。着色剤の配合量は、洗浄剤の総質量に対して０．００００５〜０．００５質量％が好ましい。
乳濁化剤としては、ポリスチレンエマルション、ポリ酢酸ビニルエマルジョン等が挙げられ、通常、固形分３０〜５０質量％のエマルションが好適に用いられる。乳濁化剤としては、例えば、ポリスチレンエマルション（サイデン化学社製：商品名サイビノールＲＰＸ−１９６  ＰＥ−３、固形分４０質量％）等が挙げられる。
エキス類としては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキス等が挙げられる。エキス類の配合量は、洗浄剤の総質量に対して、０〜０．５質量％が好ましい。
【００８５】
ｐＨ調整剤としては、例えば、硫酸、塩酸、リン酸、水酸化ナトリウム、水酸化カリウム、モノエタノールアミン、ジエタノールアミン、トリエタノールアミン等のアルカノールアミン、アンモニア等が挙げられる。これらの中でも、洗浄剤の経時安定性が高められやすくなる点から、硫酸、水酸化ナトリウム、水酸化カリウム、アルカノールアミンが好ましく、硫酸、水酸化ナトリウム、アルカノールアミンがより好ましい。
ｐＨ調整剤は、１種が単独で用いられてもよいし、２種以上が組み合わされて用いられてもよい。
本発明の洗浄剤に含まれる成分（Ａ）〜（Ｃ）、水、及び任意成分の含有量の合計は、１００質量％を超えない。
【００８６】
本発明の洗浄剤が液体洗浄剤の場合、２５℃におけるｐＨは４〜９が好ましく、６〜９がより好ましい。ｐＨが前記の好ましい範囲であると、液体洗浄剤の保存安定性が良好に維持されやすくなる。
なお、本発明における洗浄剤の２５℃におけるｐＨは、試料を２５℃に調整し、ｐＨメーター（例えば、東亜ディーケーケー株式会社製の製品名「ＨＭ−３０Ｇ」を使用）等により測定される値を示す。
【００８７】
本発明の洗浄剤が液体洗浄剤の場合、２５℃での粘度は、１０〜３００ｍＰａ・ｓが好ましく、２５〜３００ｍＰａ・ｓがより好ましい。粘度が前記の好ましい範囲内であれば、液体洗浄剤を計量キャップ等で計り取りやすくなる。また、塗布洗浄に用いる際に、液体洗浄剤を繊維製品等に塗布し易くなる。
なお、本発明における液体洗浄剤の２５℃での粘度は、試料を２５℃に調整し、Ｂ型粘度計（ＴＯＫＩＭＥＣ社製）を用いて測定される値を示す（測定条件の一例：ロータＮｏ．２、回転数６０ｒｐｍ、回転開始から１分後の粘度を測定する）。
【００８８】
本発明の洗浄剤は、従来公知の液体洗浄剤または粉末洗浄剤等の製造方法により製造される。
【００８９】
液体洗浄剤の製造方法としては、例えば、溶媒である水に、（Ａ）〜（Ｃ）成分及び必要に応じて任意成分を加え、これを混合する方法が挙げられる。
【００９０】
粉末洗浄剤の製造方法としては、各原料を粉体混合するドライブレンド法、粉体原料を流動させながら造粒する乾式造粒法、粉体原料を流動させながら液体バインダーを噴霧して造粒する撹拌造粒法、原料を捏和してこれを押出機で押し出す押出造粒法、原料を捏和してこれを粉砕する粉砕造粒法、原料を含有するスラリーを噴霧乾燥する噴霧乾燥法等が挙げられる。
【００９１】
本発明の洗浄剤は、一般的に用いられている容器に収容することができる。例えば本発明の洗浄剤が液体洗浄剤の場合、前記容器としては、計量キャップを備えたノズル型容器又は中栓型容器、自動計量機構もしくは簡易計量機構を備えたスクイズ容器又はポンプ容器、液を吹きかけるもしくは泡状に塗布するトリガー容器又はスクイズ容器、液を塗りつける塗布面を持った塗布容器、詰め替え容器（パウチ、薄肉ボトル、付け替えボトル等）等が挙げられる。
【００９２】
（洗浄剤の使用方法）
本発明の洗浄剤の使用方法は、例えば、洗浄剤を洗濯時に被洗濯物と一緒に水に投入する方法、予め水に溶解しこれに被洗濯物を浸漬する方法等が挙げられる。また、本発明の洗浄剤が液体洗浄剤の場合、該液体洗浄剤を被洗濯物に塗布して一定時間放置し、その後、通常の洗濯を行ってもよい。かかる塗布による洗浄が行われると、油性汚れに対する洗浄効果がより高められやすくなる。
本発明の洗浄剤の洗浄対象としては、特に限定されないが、例えば、衣料、布帛、カーテン、シーツ等の繊維製品が挙げられる。なかでも、本発明の洗浄剤は油性汚れに対する洗浄効果に優れるため、例えば、衣服等、人の着用等により化粧品汚れ等の油性汚れが付着した繊維製品用の洗浄剤として好適に用い得る。
【００９３】
以上、説明したとおり、本発明の洗浄剤は、（Ａ）〜（Ｃ）成分を含有し、さらに（Ａ）成分と（Ｂ）成分が特定の質量比とされているため、口紅、ファンデーション等に代表される化粧品の油性汚れに対する洗浄効果に優れる。
本発明の洗浄剤において、（Ａ）〜（Ｃ）成分を併用することにより、油性汚れに対する洗浄効果が高められる理由の詳細は明らかでないが、以下のように推定される。（Ａ）成分と（Ｂ）成分とにより形成されたコンプレックスが油性汚れに作用し、該コンプレックス中に油性汚れが巻き込まれる。（Ｃ）成分は、この油性汚れを巻き込んだコンプレックスを効果的に繊維（被洗物）から引き剥がす作用を有する。さらに、（Ｃ）成分は、再付着防止効果を有し、繊維から引き剥がされた前記コンプレックスが繊維に再付着することを抑制する。
【００９４】
本発明の洗浄剤は、（Ａ）成分、（Ｂ）成分、及び（Ｃ）成分を含有し、
前記（Ａ）成分が直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種であり、
前記（Ｂ）成分が上記一般式（２５）で表される化合物であり、
前記（Ｃ）成分が上記一般式（Ｃ１）又は上記一般式（Ｃ２）で表される高分子化合物を含み、
（Ａ）成分／（Ｂ）成分で表される質量比が１〜２５であることが好ましい。
【００９５】
本発明の洗浄剤は、（Ａ）成分、（Ｂ）成分、及び（Ｃ）成分を含有し、
前記（Ａ）成分が直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種であり、
前記（Ｂ）成分が塩化アルキルトリメチルアンモニウムであり、
前記（Ｃ）成分が上記一般式（Ｃ１）で表される高分子化合物を含み、
（Ａ）成分／（Ｂ）成分で表される質量比が１〜２５であることが好ましい。
【００９６】
本発明の洗浄剤は、（Ａ）成分、（Ｂ）成分、（Ｃ）成分、及び（Ｄ）成分を含有し、
前記（Ａ）成分が直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種であり、
前記（Ｂ）成分が塩化アルキルトリメチルアンモニウムであり、
前記（Ｃ）成分が上記一般式（Ｃ１）で表される高分子化合物を含み、
前記（Ｄ）成分が上記一般式（ｄ１）で表されるノニオン界面活性剤であり、
（Ａ）成分／（Ｂ）成分で表される質量比が１〜２５であることが好ましい。
【００９７】
本発明の洗浄剤は、（Ａ）成分、（Ｂ）成分、（Ｃ）成分、及び（Ｄ）成分を含有し、
前記（Ａ）成分が直鎖アルキルベンゼンスルホン酸塩、ポリオキシアルキレンアルキルエーテル硫酸エステル塩、α−スルホ脂肪酸メチルエステル塩、α−オレフィンスルホン酸塩、及びヤシ脂肪酸塩からなる群から選択される少なくとも１種であり、
前記（Ｂ）成分が塩化アルキルトリメチルアンモニウムであり、
前記（Ｃ）成分が上記一般式（Ｃ１）で表される高分子化合物を含み、
前記（Ｄ）成分が上記一般式（ｄ１）で表されるノニオン界面活性剤であり、
前記（Ａ）成分の含有量は、洗浄剤の総質量に対し、１〜４０質量％であり、
前記（Ｂ）成分の含有量は、洗浄剤の総質量に対し、０．０１〜１５質量％であり、
前記（Ｃ）成分の含有量は、洗浄剤の総質量に対し、０．１〜５質量％であり、
前記（Ｄ）成分の含有量は、洗浄剤の総質量に対し、１〜８０質量％であり、
前記成分（Ａ）、成分（Ｂ）、成分（Ｃ）、及び成分（Ｄ）の含有量の合計は１００質量％を超えることはなく、
（Ａ）成分／（Ｂ）成分で表される質量比が１〜２５であることが好ましい。
【実施例】
【００９８】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。【００９９】
＜Ａ成分＞
Ａ−１：直鎖アルキルベンゼンスルホン酸ナトリウム（ＬＡＳ）、ライオン株式会社製、商品名「ライポンＬＨ−２００」。
Ａ−２：ポリオキシエチレンアルキルエーテル硫酸ナトリウム（ＡＥＳ）、新日本理化株式会社製、商品名「シノリンＳＰＥ−１１５０」。
Ａ−３：ポリオキシアルキレンアルキルエーテル硫酸エステルのモノエタノールアミン塩（ＡＥＰＳ）、常法により、１−ドデカノールに平均付加モル数１．０モルのプロピレンオキシドと、平均付加モル数２．０モルのエチレンオキシドをこの順に付加したのち、これを硫酸化しモノエタノールアミンで中和することにより製造したもの。
Ａ−４：α−スルホ脂肪酸メチルエステル塩（ＭＥＳ）、特開平８−８１６９４号公報に記載の方法で製造したもの。
Ａ−５：α−オレフィンスルホン酸ナトリウム（ＡＯＳ）、ライオン株式会社製、商品名「リポランＬＢ−８４０」。
Ａ−６：ヤシ脂肪酸ナトリウム、日油株式会社製。【０１００】
＜Ｂ成分＞
Ｂ−１：塩化アルキルトリメチルアンモニウム（ライオンアクゾ社製、アルキル基炭素鎖長１２〜１４「アーカード１２−３７ｗ」。
Ｂ−２：塩化アルキルトリメチルアンモニウム（ライオンアクゾ社製、アルキル基炭素鎖長１６〜１８「アーカードＴ−８００」。【０１０１】
＜Ｃ成分＞
Ｃ−１：特定の繰り返し単位（ｃ１）とオキシアルキレン単位（ｃ２）とを有するポリマー。クラリアント社製、商品名「ＴｅｘＣａｒｅ  ＳＲＮ−１７０」、重量平均分子量２０００〜３０００、上記一般式（Ｃ１）で表される高分子化合物を含む。
Ｃ−２：特定の繰り返し単位（ｃ１）とオキシアルキレン単位（ｃ２）とを有するポリマー。クラリアント社製、商品名「ＴｅｘＣａｒｅ  ＳＲＮ−３００」、重量平均分子量７０００、上記一般式（Ｃ１）で表される高分子化合物を含む。
Ｃ−３：特定の繰り返し単位（ｃ１）とオキシアルキレン単位（ｃ２）とを有するポリマー。互応化学工業株式会社社製、商品名「プラスコートＦＲ−６２７」、重量平均分子量１５，０００〜２４，０００、上記一般式（Ｃ１）で表される高分子化合物を含む。
Ｃ−１〜Ｃ−３は、上述した「水溶性ポリマー」の条件（すなわち、１リットルビーカー内で、ポリマー１０ｇを、４０℃の条件で、水１０００ｇに添加し、スターラー（太さ８ｍｍ、長さ５０ｍｍ）により１２時間撹拌（２００ｒｐｍ）した後に溶解していること）を満たすことを確認した。【０１０２】
＜Ｄ成分＞
Ｄ−１：脂肪酸メチルエステルエトキシレート（脂肪酸の炭素数１６〜１８、ＥＯの平均付加モル数１５）、ライオンケミカル株式会社製、商品名「ＣＥＡＯ−９０」。
Ｄ−２：ポリオキシエチレンアルキル（炭素数１２〜１４）エーテル（ＥＯの平均付加モル数１５）、ライオンケミカル株式会社製、商品名「ＬＭＡＯ−９０」。
Ｄ−３：ポリオキシエチレンアルキル（炭素数１２〜１４）エーテル（ＥＯの平均付加モル数７）、ライオンケミカル株式会社製、商品名「レオックスＣＬ−７０」。
Ｄ−４：炭素数１０〜１４の第１級アルコールに対して、平均付加モル数５のエチレンオキシドと、平均付加モル数２モルのプロピレンオキシドをブロック付加したノニオン界面活性剤。
Ｄ−５：炭素数１２〜１４の第２級アルコールに対して、平均付加モル数９モルのエチレンオキシドを付加したノニオン界面活性剤、株式会社日本触媒製、商品名「ソフタノール９０」。【０１０３】
＜任意成分＞
ＰＧ：プロピレングリコール、ＢＡＳＦ社製。
ＢＣ：ブチルカルビトール、商品名「ブチルカルビトール」、三協化学株式会社製。
［共通成分Ｘ］
各成分の末尾に記載の数値は、洗浄剤中の含有量である。
・金属イオン補足剤（キレート剤）：クエン酸（一方社油脂工業株式会社製）・・・・０．１質量％。
・保存安定性向上剤：安息香酸ナトリウム（東亜合成株式会社製）・・・・０．５質量％。
・酵素：商品名「コロナーゼ４８Ｌ」（ノボザイムズ社製）・・・・０．５質量％。
・酸化防止剤：ジブチルヒドロキシトルエン（商品名「Ｋ−ＮＯＸ  ＢＨＴ」、Ｄｅｇｕｓｓａ社製）・・・・０．０１質量％。
・水混和性有機溶剤：エタノール（商品名「特定アルコール９５度合成」、日本アルコール販売株式会社製）・・・・５質量％。
・香料：特開２００３−２６８３９８号公報の表７〜１４に記載の香料組成物Ａ・・・・０．７質量％。
・色素：着色剤、商品名「緑色３号」、癸巳化成株式会社製・・・・０．０００２質量％。
・ｐＨ調整剤：水酸化ナトリウム（鶴見曹達株式会社製）・・・・適量、モノエタノールアミン（株式会社日本触媒製）・・・・適量。
・溶媒：水（精製水）・・・・バランス。
ｐＨ調整剤の含有量「適量」は、洗浄剤を表中のｐＨにするのに要した量である。
水の含有量「バランス」は、洗浄剤全体で１００質量％とするのに必要な量である。
［共通成分Ｙ］
各成分の末尾に記載の数値は、洗浄剤中の含有量である。
・無機塩：硫酸ナトリウム・・・・１質量％、硫酸マグネシウム・・・・２質量％。
・蛍光剤：ジスチリルビフェニル誘導体、商品名「チノパールＣＢＳ−Ｘ」（ＢＡＳＦ社製）・・・・０．０１％。
・防腐剤：商品名「アクチサイドＭＢＳ」（ソー・ジャパン社製）。
・ｐＨ調整剤：水酸化ナトリウム（鶴見曹達株式会社製）・・・・適量、モノエタノールアミン（株式会社日本触媒製）・・・・適量。
・溶媒：水（精製水）・・・・バランス。
ｐＨ調整剤の含有量「適量」は、洗浄剤を表中のｐＨにするのに要した量である。
水の含有量「バランス」は、洗浄剤全体で１００質量％とするのに必要な量である。【０１０４】
（実施例１〜２４、比較例１〜７）
＜繊維製品用の洗浄剤の製造＞
表１〜４に示す組成に従い、（Ａ）〜（Ｃ）成分と、任意成分（水及びｐＨ調整剤を除く）とを水に加え混合した。これをｐＨ調整剤で表中のｐＨ値に調整して、実施例１〜２４、比較例５〜７の洗浄剤を得た。
また、（Ａ）〜（Ｃ）成分のいずれかを水に加えなかったこと以外は、実施例１と同様にして比較例１〜３の洗浄剤を得た。（Ｃ）成分に代えて（Ｃ’）成分を用いたこと以外は、実施例１と同様にして比較例４の洗浄剤を得た。
表１〜４に、得られた各例の洗浄剤の組成（配合成分、含有量（質量％））を示す。
表中、空欄の配合成分がある場合、その配合成分は配合されていない。
表中、配合成分の含有量は純分換算量を示す。
表中、比較例４の「Ａ／Ｃ比」、「Ｂ／Ｃ比」、「（Ａ＋Ｂ）／Ｃ比」は、それぞれ（Ｃ）成分に代えて用いた（Ｃ’）成分に対する、（Ａ）成分、（Ｂ）成分、［（Ａ）成分＋（Ｂ）成分］の質量比を示す。【０１０５】
各例の洗浄剤について、油性汚れに対する洗浄効果（１）、洗浄効果（２）を以下のように評価した。評価結果を表１〜４に示す。【０１０６】
［評価布の作製］
落とし難い油性状複合汚れの代表的な例として、口紅およびリキッドファンデーションを付着させた評価布を以下のように作製した。
・口紅汚垢布
口紅（商品名「マキアージュ  モイスチャールージュカラーオンタイプ赤」、株式会社資生堂製）を指に移しとり、これを、ポリエステルトロピカル白布の布地表面に直径約３ｃｍの円状に塗りつけたものを、口紅汚垢布とした。
・ファンデーション汚垢布
リキッドファンデーション（商品名「マキアージュ  モイスチャークリームファンデーションＵＶオークル１０」、株式会社資生堂製）を手の甲に塗り、これを綿メリヤスの布地表面に直径約５ｃｍの円状となるように移しとったものを、ファンデーション汚垢布とした。【０１０７】
＜洗浄効果（１）の評価＞
［口紅汚垢布に対する洗浄試験］
Ｔｅｒｇ−Ｏ−ｍｅｔｅｒ（ＵＮＩＴＥＤ  ＳＴＡＴＥＳ  ＴＥＳＴＩＮＧ社製）を洗浄試験器として用いた。上記の口紅汚垢布１０枚と、洗浄メリヤス布と、各例の洗浄剤１０ｍＬとを前記洗浄試験器に入れ、浴比３０倍に合わせて、１２０ｒｐｍ、１５℃で２０分間洗浄した。
その後、二槽式洗濯機（三菱電機株式会社製、品番：ＣＷ−Ｃ３０Ａ１−Ｈ１）に移し、１分間脱水後、水道水（１５℃、４°ＤＨ）３０Ｌ中で３分間濯ぎ、風乾した。
洗浄前の口紅汚垢布および洗浄後の口紅汚垢布について、それぞれの反射率を日本電色社製の色差計（製品名：ＳＥ２００型）で測定し、ａ値（赤み）を用いて洗浄率（％）を以下の式で算出した。
洗浄率（％）＝１００×［（洗浄前の口紅汚垢布のａ値）−（洗浄後の口紅汚垢布のａ値）］／（洗浄前の口紅汚垢布のａ値）。
１０枚の口紅汚垢布について洗浄率（％）を算出し、その平均値を用いて、下記基準で判定し、○、◎を合格とした。
◎：６０％以上。
○：５０％以上６０％未満。
△：４０％以上５０％未満。
×：４０％未満。【０１０８】
［ファンデーション汚垢布に対する洗浄試験］
口紅汚垢布に代えて、ファンデーション汚垢布を用いたこと、反射率（％）を以下の式で算出したこと以外は、上記口紅汚垢布に対する洗浄試験と同様にして、ファンデーション汚垢布に対する洗浄効果を評価した。
洗浄率（％）＝１００×（洗浄前のファンデーション汚垢布のＫ／Ｓ−洗浄後のファンデーション汚垢布のＫ／Ｓ）／（洗浄前のファンデーション汚垢布のＫ／Ｓ−未汚れ布のＫ／Ｓ）。
ただし、Ｋ／Ｓは式：（１−Ｒ／１００）２／（２Ｒ／１００）で求められる値であり、Ｒは、未汚れ布、洗浄前のファンデーション汚垢布または洗浄後のファンデーション汚垢布の反射率（％）である。
１０枚のファンデーション汚垢布について洗浄率（％）を算出し、その平均値を用いて下記基準で判定し、○、◎を合格とした。
◎：８０％以上。
○：７０％以上８０％未満。
△：６０％以上７０％未満。
×：６０％未満。【０１０９】
＜洗浄効果（２）の評価＞
［口紅汚垢布に対する塗布洗浄試験］
口紅汚垢布１枚につき各例の洗浄剤を０．５ｍＬずつ塗布した。その際、前記汚垢布に付着した口紅汚れが中心となるように前記洗浄剤を塗布した。１０分間静置した後、洗浄メリヤス布と共にＴｅｒｇ−Ｏ−ｍｅｔｅｒに入れ、浴比３０倍に合わせて、１２０ｒｐｍ、１５℃で１０分間洗浄した。その後、二槽式洗濯機（三菱電機株式会社製、品番：ＣＷ−Ｃ３０Ａ１−Ｈ１）に移し、１分間脱水後、水道水（１５℃、４°ＤＨ）３０Ｌ中で３分間濯ぎ、風乾した。
１０人のパネラーが、洗浄後の口紅汚垢布の状態を、洗浄前の口紅汚垢布及び未汚れのポリエステルトロピカル白布（口紅汚垢が塗り付けられていないポリエステルトロピカル白布）と目視により対比し、下記の判断基準により採点した。１０人の採点結果の平均値を下記評価基準に分類して、洗浄効果（２）を評価した。○、◎、◎◎を合格とした。
（判断基準）
５点：汚れが全く残っていない（未汚れのポリエステルトロピカル白布と同等である）。
４点：汚れがほとんど残っていない。
３点：汚れがやや残っている。
２点：汚れがかなり残っている。
１点：汚れが全く落ちていない（洗浄前の口紅汚垢布と同等である）。
（評価基準）
◎◎：４．５点以上。
◎：４点以上４．５点未満。
○：３．５点以上４点未満。
○：３点以上３．５点未満。
×：３点未満。【０１１０】
【表１】
2016158724.tif 000011
【０１１１】
【表２】
2016158724.tif 000012
【０１１２】
【表３】
2016158724.tif 000013
【０１１３】
【表４】
2016158724.tif 000014
【０１１４】
表１〜４に示す結果から、本発明を適用した実施例１〜２４の洗浄剤は、口紅汚れ及びファンデーション汚れに対して、塗布洗浄の有無にかかわらず良好な洗浄効果が得られることが確認できた。
一方、比較例１、３〜４、６の洗浄剤は、口紅汚れ及びファンデーション汚れに対する洗浄力が充分に得られなかった。比較例２、７の洗浄剤は、塗布洗浄をした場合には、口紅汚れに対して良好な洗浄効果が得られたが、塗布洗浄をしなかった場合には、口紅汚れ及びファンデーション汚れに対する洗浄効果が充分に得られなかった。比較例５の洗浄剤は、口紅汚れに対する洗浄効果が充分に得られなかった。
以上の結果から、本発明を適用した洗浄剤は、油性汚れに対する洗浄効果により優れることが確認できた。
【産業上の利用可能性】
【０１１５】
本発明の繊維製品用の洗浄剤は、油性汚れに対する洗浄効果により優れる。
【国際調査報告】
2016158724.tif 000017
2016158724.tif 000018
2016158724.tif 000019
2016158724.tif 000020